(57)【特許請求の範囲】
【請求項１】
タービン建屋内に据付けられる復水器基礎と、前記復水器基礎上に設置され外側が鋼板で囲まれてなりかつ冷却管を内蔵する下部胴本体とこの下部胴本体の上方に位置し給水加熱器が設置される上部胴本体とを有する複数の復水器本体と、復水器本体の外側の前記鋼板とその復水器本体に隣接する復水器本体の外側の鋼板との間にコンクリートを打設して形成される支持壁と、支持壁の上部に設置され上方にタービン発電機が設置されるデッキ部と、前記復水器本体の外側で前記支持壁が配置されていない側の前記鋼板の外側の少なくとも一部にコンクリートを打設して形成される鋼板補強部材とを具備し、前記給水加熱器と前記鋼板補強部材との間に空隙を設けたことを特徴とする復水器。
【請求項２】
前記支持壁に開口を形成することを特徴とする請求項１に記載の復水器。
【請求項３】
前記支持壁の前記開口がこの支持壁の両側に設置される前記復水器本体の鋼板の開口を筒状の鋼板で連結して構成することを特徴とする請求項２に記載の復水器。
【請求項４】
前記給水加熱器を前記復水器に設けた支持架台によって支持することを特徴とする請求項１に記載の復水器。
【請求項５】
前記復水器本体の前記鋼板の外側にコンクリートを打設した部分と前記デッキ部を一体としたことを特徴とする請求項１に記載の復水器。
【請求項６】
前記下部胴本体の外側に設置される水室を前記復水器本体の前記鋼板の外側にコンクリートを打設した部分により支持したことを特徴とする請求項１に記載の復水器。
【請求項７】
前記鋼板の外側にコンクリートを打設した部分に配管支持材を取付け、この配管支持材によって前記復水器本体の外側に取付けられる配管を支持したことを特徴とする請求項１に記載の復水器。
【請求項８】
前記復水器基礎を、外側を鋼板で囲みその中にコンクリートを打設して形成したことを特徴とする請求項１に記載の復水器。
【請求項９】
前記下部胴本体の底部を連絡する水路を設け、前記水路に取出座を設けたことを特徴とする請求項１に記載の復水器。
【請求項１０】
前記鋼板の一部にコンクリートとの密着性を高める部材を設けたことを特徴とする請求項１記載の復水器。
【請求項１１】
タービン建屋内に据付けられる復水器基礎と、前記復水器基礎上に設置され外側が鋼板で囲まれてなりかつ冷却管を内蔵する下部胴本体とこの下部胴本体の上方に位置し給水加熱器が設置される上部胴本体とを有する複数の復水器本体と、前記復水器本体の外側の前記鋼板とその復水器本体に隣接する復水器本体の外側の鋼板との間にコンクリートを打設して形成される支持壁と、支持壁の上部に設置され上方にタービン発電機が設置されるデッキ部とを具備する復水器の構築方法において、復水器の据付位置以外で前記鋼板および前記復水器本体に設置される部材を複数のブロックに組立て、復水器据付位置に搬入し据付けた後に、隣接する復水器本体の前記鋼板の間にコンクリートを打設して前記支持壁を形成し、前記復水器本体の外側で前記支持壁が配置されていない側の前記鋼板の外側の少なくとも一部にコンクリートを打設して形成される鋼板補強部材を、この鋼板補強部材を貫通するように配置される前記給水加熱器と接触しないように形成することを特徴とする復水器の構築方法。
【請求項１２】
復水器据付位置以外で、復水器の外側に取付けられる配管類を前記ブロックに取付けたことを特徴とする請求項１１に記載の復水器の構築方法。
【発明の詳細な説明】
【０００１】
【発明の属する技術分野】
本発明は、汽力発電所におけるタービン発電機基礎台の機能を兼ね備えた復水器及びその構築方法に関するものである。
【０００２】
【従来の技術】
一般に、従来の汽力発電所の復水器は、タービン発電機が据付けられるタービン発電機基礎台の内側に設置される。以下、図１３および図１４を参照してタービン発電機基礎台および復水器の従来例について説明する。図１３は、従来の復水器およびタービン基礎台の斜視図である。図１４は、図１３に矢印Ｇで示す位置での従来の復水器およびタービン基礎台の水平断面図である。なお、図１３では復水器の内部構成については簡略化して記載し、図１４では復水器の内部構成の記載を省略している。
【０００３】
従来の復水器は、タービン建屋の建屋基礎マットに設置された復水器基礎９の上に据付けられ冷却管を束ねた管束２１を内蔵する下部胴本体１０２と、その下部胴本体１０２の上に据付けられ給水加熱器６が設置される上部胴本体１０３と、上部胴本体１０３の上に設置される接続片１０５から構成される。従来の復水器の下部胴本体１０２および上部胴本体１０３は、鋼板を溶接して容器とした構造を有し、その内部が運転中に真空となるため外圧を受けることから、変形を起こさないように鋼板内部は補強されている。下部胴本体１０２の管束は、下部胴本体１０２の側面の管板１４に設置され、管板１４の外側には水室８が設置される。また、上部胴本体１０３に設置される給水加熱器６は支持架台２０によりその重量が支えられている。
【０００４】
復水器を囲むようにタービン発電機基礎台が設置され、図１４に示すように複数の復水器がタービン軸方向１２に並ぶ構成となっている。タービン発電機基礎台は、鉄筋コンクリート構造の柱１０１および梁で構成され、上部の梁はデッキ部１０４となり、その上部に蒸気タービン及び発電機が設置される。柱１０１の高さの中央付近には、柱１０１同士を水平に連結する図示しない中間レベル梁が設置される。
【０００５】
次に従来の復水器およびタービン基礎台の据付工事方法について説明する。タービン建屋マット部完成後、柱１０１などの構築用の足場を設置し、タービン発電機基礎台の柱１０１および中間レベル梁を構築する。柱１０１と中間レベル梁のコンクリート打設完了後に柱１０１などの構築用の足場解体を行なう。その後、復水器基礎１０９を構築する。次に、復水器基礎１０９上に下部胴本体１０２の搬入・据付を行い、上部胴本体１０３の搬入・据付が行なわれる。これらの下部胴本体１０２、上部胴本体１０３の搬入・据付が完了してからタービン発電機が設置されるタービン発電機基礎台の最上部のデッキ部１０４を構築する。デッキ部１０４の構築が完了した後、接続片１０５の搬入および上部胴本体１０３への溶接取付けを行なう。
【０００６】
【発明が解決しようとする課題】
上述の従来の復水器およびタービン発電機基礎台の構築においては、タービン発電機基礎台構築のための鉄筋コンクリート工事をタービン発電機基礎台据付位置で行なう必要がある。このため、タービン発電機基礎台の柱１０１および中間レベル梁構築、復水器基礎９構築、下部胴本体１０２搬入据付、上部胴本体搬入据付１０３、タービン発電機基礎台のデッキ部１０４構築、接続片１０５搬入・取付けといった煩雑な手順が必要である。また、タービン発電機基礎台の柱と復水器間の空隙が狭いため、復水器の据付工事には多くの手間を要していた。このため、タービン建屋全体工程の短縮において、タービン発電機基礎台構築および復水器据付工事がクリティカルパス工程であった。
【０００７】
本発明は上記従来技術の課題を解決するためになされたものであり、タービン建屋全体工程の短縮を図ることができる復水器を得ることを目的とする。
【０００８】
【課題を解決するための手段】
上記目的を達成するため、本発明の復水器においては、請求項１記載の発明では、タービン建屋内に据付けられる復水器基礎と、前記復水器基礎上に設置され外側が鋼板で囲まれてなりかつ冷却管を内蔵する下部胴本体とこの下部胴本体の上方に位置し給水加熱器が設置される上部胴本体とを有する複数の復水器本体と、復水器本体の外側の前記鋼板とその復水器本体に隣接する復水器本体の外側の鋼板との間にコンクリートを打設して形成される支持壁と、支持壁の上部に設置され上方にタービン発電機が設置されるデッキ部と、前記復水器本体の外側で前記支持壁が配置されていない側の前記鋼板の外側の少なくとも一部にコンクリートを打設して形成される鋼板補強部材とを具備し、前記給水加熱器と前記鋼板補強部材との間に空隙を設けたことを特徴とするものである。上記構成の復水器においては、復水器を構築することによりタービン発電機を設置するデッキ部を構築することができる。また、上記構成の復水器においては、鋼板補強部材によって復水器本体の鋼板部分の剛性を向上し、給水加熱器からの熱によりコンクリートが劣化することを抑制できる。
【０００９】
また、請求項２記載の発明では、請求項１に記載の復水器において、前記支持壁に開口を有することを特徴とするものである。
【００１０】
上記構成の復水器においては、開口を復水器連絡胴とすることができる。
【００１１】
また、請求項３記載の発明では、請求項２に記載の復水器において、前記支持壁の前記開口がこの支持壁の両側に設置される前記復水器本体の鋼板の開口を筒状の鋼板で連結して構成することを特徴とするものである。
【００１２】
上記構成の復水器においては、開口を容易に形成することができる。
【００１５】
また、請求項５記載の発明では、請求項１に記載の復水器において、前記復水器本体の前記鋼板の外側にコンクリートを打設した部分と前記デッキ部を一体としたことを特徴とするものである。
【００１６】
上記構成の復水器においては、デッキ部の剛性を向上することができる。
【００１７】
また、請求項６記載の発明では、請求項１に記載の復水器において、前記下部胴本体の外側に設置される水室を前記復水器本体の前記鋼板の外側にコンクリートを打設した部分により支持したことを特徴とするものである。
【００１８】
上記構成の復水器においては、復水器本体の鋼板を補強することなく水室を支持することができる。
【００２３】
請求項７記載の発明では、請求項１に記載の復水器において、前記鋼板の外側にコンクリートを打設した部分に配管支持材を取付け、この配管支持材によって前記復水器本体の外側に取付けられる配管を支持したことを特徴とするものである。
【００２４】
上記構成の復水器においては、復水器本体の鋼板を補強することなく配管を支持することができる。
【００２５】
また、請求項８記載の発明では、請求項１に記載の復水器において、前記復水器基礎を、外側を鋼板で囲みその中にコンクリートを打設して形成したことを特徴とするものである。
【００２６】
上記構成の復水器においては、復水器基礎を容易に構築することができる。
【００２７】
また、請求項９記載の発明では、請求項１に記載の復水器において、前記下部胴本体の底部を連絡する水路を設け、前記水路に取出座を設けたことを特徴とするものである。
【００２８】
上記構成の復水器においては、復水ポンプとの配管が短縮できる位置に取出座を設置できる。
【００２９】
また、本発明の復水器の構築方法において、請求項１１記載の発明では、タービン建屋内に据付けられる復水器基礎と、前記復水器基礎上に設置され外側が鋼板で囲まれてなりかつ冷却管を内蔵する下部胴本体とこの下部胴本体の上方に位置し給水加熱器が設置される上部胴本体とを有する複数の復水器本体と、前記復水器本体の外側の前記鋼板とその復水器本体に隣接する復水器本体の外側の鋼板との間にコンクリートを打設して形成される支持壁と、支持壁の上部に設置され上方にタービン発電機が設置されるデッキ部とを具備する復水器の構築方法において、復水器の据付位置以外で前記鋼板および前記復水器本体に設置される部材を複数のブロックに組立て、復水器据付位置に搬入し据付けた後に、隣接する復水器本体の前記鋼板の間にコンクリートを打設して前記支持壁を形成すし、前記復水器本体の外側で前記支持壁が配置されていない側の前記鋼板の外側の少なくとも一部にコンクリートを打設して形成される鋼板補強部材を、この鋼板補強部材を貫通するように配置される給水加熱器と接触しないように形成することを特徴とするものである。
【００３０】
上記構成の復水器の構築方法においては、タービン建屋全体工程の短縮、鋼板補強部材による復水器本体の鋼板部分の剛性向上、給水加熱器の熱によるコンクリート劣化の抑制を図ることができる。
【００３１】
また、請求項１３記載の発明では、請求項１２に記載の復水器の構築方法において、復水器据付位置以外で、復水器の外側に取付けられる配管類を前記ブロックに取付けたことを特徴とするものである。
【００３２】
上記構成の復水器の構築方法においては、タービン建屋全体工程の短縮を図ることができる。
【００３３】
【発明の実施の形態】
以下、本発明に係る復水器の実施の形態について、図面を参照して説明する。
【００３４】
まず、図１ないし図４において第１の実施の形態を説明する。
【００３５】
図１は、本発明の第１の実施の形態に係る復水器の斜視図である。理解を容易とするため一部を切除して記載し、また、一部の復水器の記載は省略している。図２は、図１に矢印Ａで示す位置での水平断面図である。なお、図２では、下部胴本体２に内蔵される構成は記載を省略している。図３（ａ）は、図１に矢印Ｆで示した位置より上部の部分を切除した本実施の形態の復水器の斜視図であり、図３（ｂ）は、図３（ａ）にＨで示す部分の詳細を示す斜視図である。なお、理解を容易とするため、図３（ａ）では復水器基礎９内に打設されるコンクリートの記載を省略し、図３（ｂ）ではコンクリートおよび基礎側板の記載を省略している。図４は、本実施の形態の復水器の構築方法を説明する斜視図である。なお、図４では、下部胴壁ブロック２ａに内蔵される構成物および上部胴壁ブロック３ａに内蔵される構成物の記載は省略している。
【００３６】
本実施の形態は、建屋基礎マット１０上の復水器基礎９に据付けられた下部胴本体２と、その上に組立てられた上部胴本体３と、下部胴本体２および上部胴本体３の側面の鋼板１６の外側にコンクリートを打設して形成された支持壁１と、支持壁１の上部に形成されたデッキ部４と、上部胴本体３の上方のデッキ部４に設けられた開口内に設置され、上部胴本体３と接続される接続片５から構成されている。支持壁１以外にもデッキ部４によりその上部のタービン発電機を支えるのに必要な支持壁を設置し、支持壁によって従来タービン発電機基礎台により実現されてきた支持機能が果たせるように構成する。本発明の復水器はこのような構成によりタービン発電機基礎台と復水器を一体とした構造となっている。なお、復水器本体は上部胴本体３と下部胴本体２から構成されている。
【００３７】
上部胴本体３には、給水加熱器６が設置される。また、下部胴本体２の側面の管板１４内側には図示しない冷却管を束にした管束が設置され、また、管板１４外側には、水室８が設置されている。上部胴本体３の給水加熱器６が内蔵される空間および下部胴本体２の管束が内蔵される空間には、タービンから排気された蒸気が通過する。この蒸気は、管束の冷却管により冷却されて凝縮し、下部胴本体２に凝縮水として溜まる。このような下部胴本体２および上部胴本体３は図２に示すようにタービン軸方向１２に、複数設置されている。
【００３８】
また、支持壁１は、下部胴本体２および上部胴本体３に面した側の鋼板１６とともに、下部胴本体２および上部胴本体３に面していない側面の塞ぎ鋼板２５で周囲を囲まれた空間にコンクリートを打設した構成となっている。鋼板１６には、コンクリートとの密着性を高めるため、複数のスタッドボルト１１が設置され、支持壁１は、隣接する復水器本体の鋼板１６とコンクリートが一体となって形成されている。
【００３９】
また、支持壁１には開口が設けられ、隣接する復水器本体を連絡する復水器連絡胴１７となっている。復水器連絡胴１７は、隣接する復水器本体の鋼板１６の開口同士を筒状の鋼板で連結した構造となっている。このため、復水器連絡胴１７の周囲は鋼板で囲まれている。図１においては復水器連絡胴１７の開口は矩形としているが、形状はこれに限定されず、特に開口の周囲の支持壁１の応力集中を緩和するため、円形としたり、開口の角になる部分に丸みをつけたりすることが好ましい。
【００４０】
また、復水器基礎９は、鋼板１６と基礎側板２３ａで囲まれたなかに複数の基礎鋼板２３を格子状などに組立て、鋼板１６と基礎側板２３ａで囲まれたなかにコンクリートを打設した構成となっている。基礎鋼板２３には、水平方向に図示しない複数の貫通孔が設けられており、打設時にコンクリートが隙間なく流入できるようにしたり、復水器基礎９構築後にコンクリートと基礎鋼板２３の密着性が高められるようにしている。そして、復水器基礎９内には、複数の下部胴本体２からの凝縮水出口を連絡する水路３１が設けられている。
【００４１】
図３（ａ）および図３（ｂ）に示すように水路３１には取出座３０が接続され、水路３１に入った凝縮水を図示しない復水ポンプへ導出することができるようになっている。このような構成とすることにより、取出座３０の設置位置を適切にすることができ、取出座３０に接続される復水ポンプへの配管を短縮することができる。
【００４２】
次に、本実施の形態の復水器の構築方法について図４を用いて説明する。図４に示すように、下部胴本体２となる下部胴ブロック２ａ、上部胴本体３となる上部胴ブロック３ａ、およびデッキ部４となるデッキ部ブロック４ａを順次搬入し、据付け組立てする。下部胴ブロック２ａには、鋼板１６の下部胴本体２となる部分の鋼板１６ｃ、管板１４、塞ぎ鋼板２５の鋼板１６ｃと接続する部分の塞ぎ鋼板２５ａ、管板１４の外側に水室８、管板１４の内側に管束、および下部胴本体２の底となる底板、その下に復水器基礎９の基礎側板２３ａ、基礎鋼板２３が復水器据付位置以外において組立てられている。復水器据付位置以外で、支持部材などその他の下部胴本体２および復水器基礎９の構成部材についても下部胴ブロック２ａに組立てられる。また、上部胴ブロック３ａには、鋼板１６の上部胴本体３となる部分の鋼板１６ｂ、給水加熱器６、給水加熱器６が取付けられる上部胴側面鋼板７、塞ぎ鋼板２５の鋼板１６ｂと接続する部分の塞ぎ鋼板２５ｂおよび上部胴本体３の支持部材などが復水器据付位置以外において組立てられている。
【００４３】
また、デッキ部ブロック４ａには、復水器据付位置以外の場所において、デッキ部４のデッキ部側面鋼板４ｂおよびデッキ部底面鋼板４ｃが組立てられ、接続片５が取付けられている。下部胴ブロックの鋼板１６ｃおよび塞ぎ鋼板２５ａ、上部胴ブロックの鋼板１６ｂおよび塞ぎ鋼板２５ｂ、デッキ部ブロックのデッキ部側面鋼板４ｂおよびデッキ部底面鋼板４ｃそれぞれのコンクリートを打設する側にはスタッドボルト１１が取付けられている。
【００４４】
まず、このように組立てられた複数の下部胴ブロックを建屋基礎マット１０の上に据付ける。その後、基礎側板２３ａで囲まれた空間にコンクリートを打設しまず、復水器基礎９を形成する。次に、鋼板１６ｃおよび塞ぎ鋼板２５ａで構成された空間のなかへコンクリートを打設して下部胴本体２およびその部分の支持壁１を形成する。次に、複数の上部胴ブロック３ａを構築されたそれぞれの下部胴本体２の上に搬入し据付ける。
【００４５】
その後、鋼板１６ｂおよび塞ぎ鋼板２５ｂで構成された空間のなかにコンクリートを打設して上部胴本体２およびその部分の支持壁１を形成する。最後に、複数のデッキ部ブロック４ａを構築されたそれぞれの上部胴本体３の上に搬入し据付ける。そして、デッキ部側面鋼板４ｂと支持壁１またはデッキ部底面鋼板４ｃで形成された空間にコンクリートを打設してデッキ部４を形成する。
【００４６】
このように構成された本実施の形態の復水器において、タービン発電機は、復水器の上部のデッキ部４に設置され、タービン発電機などの重量は、支持壁１により支えられる。したがって、本実施の形態では、従来のタービン発電機基礎台と復水器の機能が一体となった構成となっている。この時、従来のタービン発電機基礎台の柱および中間レベル梁と、その柱および中間レベル梁側の従来の復水器の外面鋼板の機能が支持壁１およびそれと一体となった鋼板１６により達成されている。支持壁１と鋼板１６は一体となっているため、鋼板１６に掛かる圧力を支えるとともに、鋼板１６の気密性や水密性を確実としている。また、鋼板１６は、支持壁１の強度部材としての機能も果たしている。
【００４７】
また、従来のタービン発電機基礎台の柱および中間レベル梁と従来の復水器の外面鋼板の間の隙間が必要ないため、図１３に示した従来の復水器における隣接する復水器の外側鋼板の復水器内面同士の幅に比べると、本実施の形態の隣接する復水器本体の鋼板１６の内面同士の幅である支持壁１の厚さは小さくなっている。したがって、下部胴本体２のタービン軸方向１２の幅、つまり管束が内蔵される空間の幅は大きくなる。これは、上部胴本体３のタービン軸方向１２の幅、つまり給水加熱器が内蔵される空間のタービン軸方向１２の幅においても同様である。
【００４８】
また、復水器基礎９および下部胴本体２、上部胴本体３、デッキ部４は、復水器据付位置以外において、それぞれ下部胴ブロック２ａ、上部胴ブロック３ａ、デッキ部ブロック４ａに組立てられてから復水器据付位置に搬入され据付けられる。このため、復水器の鋼板を復水器据付位置で組立てる必要がない。また、従来のタービン発電機基礎台の構築で必要であった鉄筋の配筋やコンクリート打設のための型枠の組立てや撤去の工程が不要となる。
【００４９】
本実施の形態によれば、下部胴本体２および上部胴本体３の軸方向の幅が広がるため、タービンからの蒸気の圧力損失が低減され、発電機出力を増加させることができる。また、下部胴本体２に内蔵する管束の設置幅を大きくすることができるため、その分管束の高さを小さくすることができる。この管束の高さが小さくなる分、デッキ部４上面の高さを低くすることができる。このため、タービン発電機の設置位置が低くでき、また、タービン建屋全体の高さも低くすることができる。したがって、本実施の形態のタービン発電機基礎台としての耐震性およびタービン建屋の耐震性を向上することができる。
【００５０】
また、独立したタービン発電機基礎台を構築する必要がないため、タービン建屋構築にあたっての全体工程の工期短縮を図ることができる。
【００５１】
また、支持壁１は、鋼板１６などの周囲を囲む空間にコンクリートを打設することにより構築することができ、この鋼板１６の設置も下部胴本体２および上部胴本体３を設置することにより行なうことができる。このため、従来のタービン発電機基礎台の柱および中間レベル梁の構築において必要であった鉄筋の配筋およびコンクリート打設のための型枠が必要ない。また、従来のタービン発電機基礎台および復水器の据付においては、タービン発電機の柱の構築、中間レベル梁の構築、従来の復水器の下部胴本体および上部胴本体の据付といった構築手順が、下部胴本体２および上部胴本体３の据付、支持壁１のコンクリートの打設という簡素化された構築手順により行なうことができる。
【００５２】
さらに、従来の復水器の据付においては、構築されたタービン発電機基礎台の柱および中間レベル梁の間に復水器の下部胴本体および上部胴本体を据付ける必要があり、復水器とタービン発電機基礎台の柱および中間レベル梁との間隙に注意しながら据付工事を行なう必要があったが、本実施の形態の復水器の据付工事ではその必要もない。そこで、本実施の形態の復水器の据付工事の工期は短縮を図ることができる。
【００５３】
さらに、本実施の形態の復水器の据付工事においては、復水器据付位置での鋼板の組立てが必要ないため、より一層復水器の据付工事の工期短縮を図ることができる。
【００５４】
本実施の形態の支持壁１には、例えばその耐震強度を向上させるために、その厚さを厚くした柱部を形成しても良い。この場合を図５に示す。図５は、図２と同様に図１の矢印Ａで示す位置での復水器の水平断面図を示す。
【００５５】
図５に示すように、支持壁１の両側にはその厚さを厚くした柱部１ａが設けられている。このような構成とすることにより、支持壁１の耐震強度を向上させることができる。
【００５６】
また、基礎鋼板２３は、平板のみならず型鋼とすることができる。また、スタッドボルト１１は、カットティなどのコンクリートと鋼板の密着を向上させる他の構成とすることもできる。
【００５７】
また、本実施の形態の復水器連絡胴部１７などの支持壁１の開口は、隣接する復水器本体の鋼板１６の開口を筒状の鋼板で連絡して構成したが、これ以外構成により支持壁１に開口を設けることもできる。
【００５８】
また、本実施の形態の復水器の構築方法において、基礎側板２３ａ、基礎鋼板２３、水路３１および取出座３０などを復水器据付位置以外において組立てた後、建屋基礎マット１０に据付け、基礎側板２３ａで囲まれたなかにコンクリートを打設して復水器基礎９を構築した後、復水器据付位置以外において復水器基礎９の構成部材以外を組立てた下部胴ブロックを構築した復水器基礎９の上に据付けるようにしても良い。
【００５９】
また、本実施の形態の下部胴ブロック２ａおよび上部胴ブロック３ａは、復水器据付位置以外で一体として組立てたが、それぞれあるいは一方を複数のブロックに分割して組立てた後、復水器据付位置に搬入して据付けるようにしても良い。
【００６０】
次に、本発明の第２の実施の形態に係る復水器について図６ないし図１２を用いて説明する。
【００６１】
図６（ａ）は、本発明の第２の実施の形態に係る復水器の斜視図であり、図６（ｂ）は、図６（ａ）に矢印Ｂで示す位置での部分詳細垂直断面図である。図６（ａ）において、理解を容易とするため一部を切除して記載し、また、復水器に内蔵される構成については記載を省略している。図７は、図６（ａ）に矢印Ｂで示す位置での垂直断面図である。図８は、図７にＣで示す水室８の部分の部分詳細垂直断面図である。図９は、図７にＤで示す給水加熱器６の部分の部分詳細垂直断面図であり、高温の給水加熱器６の取付を説明する図である。また、図１０も同様に、図７にＤで示す給水加熱器６の部分の部分詳細断面図であり、低温の給水加熱器６の取付を説明する図である。図１１は、図７にＥで示す部分の部分詳細断面図であり、図７においては記載を省略している配管などの取付を説明するための図である。図１２は、本実施の形態の復水器の構築方法について説明する側面図である。本発明の第１の実施の形態の復水器と同一の構成については同一の符号を付して説明を省略する。
【００６２】
本実施の形態においては、図６および図７に示すように支持壁１に連結しない部分のデッキ部４を上部胴本体３の気密隔壁となる上部胴側面鋼板７とその上部に接続するデッキ部側面鋼板４ｂおよび下部胴本体２の管板１４とほぼ同一平面となる鋼板１６ａで囲まれた空間にコンクリート１５を打設した構成からなる。下部胴本体２においても、管束２１が取付けられる管板１４周囲の部分において、下部胴本体２の鋼板の外側に鋼板１６ａを設置し、下部胴本体２の鋼板と鋼板１６ａとの間にコンクリートを打設する構造とする。このように上部胴側面鋼板７や下部胴本体２の鋼板の外側に打設されたコンクリートは鋼板補強部材として機能する。管板１４の外側に取付けられる水室８は、図８に示すように鋼板１６ａにフランジ構造で取付けられる。
【００６３】
デッキ部側面鋼板４ｂの内側には接続片５が設置される。接続片５は、図６（ｂ）に示すように伸縮継手１８を有し、低圧タービンケーシング１９と連結された時に、低圧タービンケーシング１９および接続片５の熱膨張を吸収することができる。
【００６４】
また、給水加熱器６はこのように構成されたデッキ部４を貫通するように設置される。図９に示すように高温の給水加熱器６は上部胴側面鋼板７に設置され、デッキ部４との間に空隙を設けた構造となっている。このような構成とすることにより、給水加熱器６からコンクリート１５に伝わる熱を抑制することができ、コンクリート１５の熱による劣化を防止することができる。このような構成は給水加熱器に限らず復水器への高温配管において採用することができる。給水加熱器６の重量は支持架台２０により支える。支持架台２０と給水加熱器の取り合い部は、給水加熱器６の長手方向に摺動可能になっている。支持架台２０は、上部胴側面鋼板７などに設置されるが、支持壁１の鋼板１６など上部胴側面鋼板７以外とすることもできる。
【００６５】
低温の給水加熱器６は、図１０に示すようにデッキ部４との間に空隙を設けずデッキ部４に設置することができる。この場合は給水加熱器６の重量をデッキ部４で支えることができる。このため、支持架台２０などにより別途給水加熱器６の重量を支える必要がない。
【００６６】
上部胴本体３の外側に設置される配管２２は、図１１に示すように、上部胴本体３外側のデッキ部４の鋼板１６ａに直接または埋め込み金物を介して取付けられた配管支持材２８に取付けられる。このような構成とすると、デッキ部４により配管２２の重量が支えられるため、上部胴側板３に配管２２の重量の影響が及ぶことがない。
【００６７】
このような構成の復水器の上部胴本体の構築は、図１２に示すように上部胴ブロック部３ｄとデッキブロック部４ｄを一体とした上部胴ブロック３ｂを復水器据付位置以外において組立てた後、建屋基礎マット１０に据付けられた下部胴本体２の上にワイヤ２７で吊り下げて搬入し、据付を行なう。このとき、復水器の外側への配管の取付は、配管モジュール２６として、復水器据付位置以外において上部胴ブロック３ｂに取付けて行なう。上部胴ブロック３ｂの所定の部分にコンクリートを打設して、上部胴本体およびデッキ部４の構築を完了する。
【００６８】
このように構成された本実施の形態において、給水加熱器６や配管２２は十分な剛性を有するデッキ部４に取付けることができる。このため、上部胴側面鋼板７などの復水器の鋼板を補強する必要がない。
【００６９】
本実施の形態によれば、復水器の構築において復水器の鋼板を補強する必要がないので、復水器の据付工事の工期短縮を図ることができる。
【００７０】
本実施の形態の下部胴本体の支持壁１でない側の鋼板の外側には鋼板１６ａを設けず、コンクリート下部胴本体の鋼板の外側にコンクリートを設けない構造とすることもできる。
【００７１】
本実施の形態の水室８は、フランジ構造以外の構造により設置することもできる。また、水室８は、鋼板１６ａに代えて管束１４に設置することもできる。
【００７２】
また、本実施の形態の鋼板１６ａは、管束１４と一体とすることもできる。また、鋼板１６ａは、管束１４と同一面以外であっても良く、その傾きも管束１４と異なっていても良い。
【００７３】
また、本実施の形態の給水加熱器６全てを図９に示す構成で設置することも、あるいは図１０に示す構成で設置することもできる。また、図１０の構成において給水加熱器６を支持架台２０で支える構成としても良い。
【００７４】
また、本実施の形態の復水器の構築において、復水器据付位置以外において上部胴ブロック３ｂを複数の分割した状態のブロックに組立てた後に、各ブロックを下部胴本体２の上に搬入し組立てるようにしても良い。
【００７５】
また、復水器の据付位置以外において、本発明の第１の実施の形態のデッキ部ブロック４ａ、上部胴ブロック３ａまたは下部胴ブロック２ａに、本実施の形態の配管モジュール２６を取付ける構成としても良い。
【００７６】
また、本実施の形態の接続片５の伸縮継手１８を本発明の第１の実施の形態の接続片５に適用することもできる。
【００７７】
【発明の効果】
以上説明したように、本発明によれば、復水器がタービン発電機基礎台の機能を有するので、タービン発電機基礎台を別に構築する必要がなくその分タービン建屋全体工程を短縮することの可能な復水器を提供することができる。
【図面の簡単な説明】
【図１】本発明の第１の実施の形態に係る復水器の斜視図である。
【図２】本発明の第１の実施の形態に係る復水器の水平断面図である。
【図３】（ａ）は、本発明の第１の実施の形態に係る復水器の一部を切除して記載した斜視図であり、（ｂ）は、（ａ）にＨで示す位置の部分詳細斜視図である。
【図４】本発明の第１の実施の形態に係る復水器の構築方法を説明する斜視図である。
【図５】本発明の第１の実施の形態に係る復水器の他の実施例の水平断面図である。
【図６】（ａ）は、本発明の第２の実施の形態に係る復水器の斜視図であり、（ｂ）は（ａ）に矢印Ｂで示す位置の部分詳細垂直断面図である。
【図７】本発明の第２の実施の形態に係る復水器の垂直断面図である。
【図８】本発明の第２の実施の形態に係る復水器の部分詳細垂直断面図である。
【図９】本発明の第２の実施の形態に係る復水器の部分詳細垂直断面図である。
【図１０】本発明の第２の実施の形態に係る復水器の部分詳細垂直断面図である。
【図１１】本発明の第２の実施の形態に係る復水器の部分詳細垂直断面図である。
【図１２】本発明の第２の実施の形態に係る復水器の構築方法を説明する側面図である。
【図１３】従来の復水器およびタービン発電機基礎台の斜視図である。
【図１４】従来の復水器およびタービン発電機基礎台の水平断面図である。
【符号の説明】
１…  支持壁
１ａ…  柱部
２…  下部胴本体
２ａ…  下部胴ブロック
３…  上部胴本体
３ａ，３ｂ…  上部胴ブロック
３ｄ…  上部胴部
４…  デッキ部
４ａ…  デッキ部ブロック
４ｂ…  デッキ部側面鋼板
４ｃ…  デッキ部底面鋼板
４ｄ…  デッキブロック部
５…  接続片
６…  給水加熱器
７…  上部胴側面鋼板
８…  水室
９…  復水器基礎
１０…  建屋基礎マット
１１…  スタッドボルト
１２…  タービン軸方向
１４…  管板
１５…  コンクリート
１６…  鋼板
１６ａ，１６ｂ，１６ｃ…  鋼板
１７…  復水器連絡胴
１８…  伸縮継手
１９…  低圧タービンケーシング
２０…  支持架台
２１…  管束
２２…  配管
２３…  基礎鋼板
２３ａ…  基礎側板
２４…  復水器底板
２５…  塞ぎ鋼板
２５ａ，２５ｂ…  塞ぎ鋼板
２６…  配管モジュール
２７…  吊ワイヤ
２８…  配管支持材
３０…  取出座
３１…  水路
１０１…  柱
１０２…  下部胴本体
１０３…  上部胴本体
１０４…  デッキ部
１０５…  接続片
１０９…  復水器基礎
【図１】
0004251597.tif 000002
【図２】
0004251597.tif 000003
【図３】
0004251597.tif 000004
【図４】
0004251597.tif 000005
【図５】
0004251597.tif 000006
【図６】
0004251597.tif 000007
【図７】
0004251597.tif 000008
【図８】
0004251597.tif 000009
【図９】
0004251597.tif 000010
【図１０】
0004251597.tif 000011
【図１１】
0004251597.tif 000012
【図１２】
0004251597.tif 000013
【図１３】
0004251597.tif 000014
【図１４】
0004251597.tif 000015